(57)【要約】【課題】尿等の排泄液の浸透性が損なわれずに、排泄液の横漏れを防止できると共に、着用時の違和感のない吸収性物品を提供する。【解決手段】受液側に位置する液透過性の表面シートを有する表面構造体と、液不透過性の裏面シートと、前記表面構造体と前記裏面シートとの間に介在する吸収性コアと、からなる吸収性物品において、前記表面シートによって長手方向に延びる凹部と凸部が幅方向に向けて交互に形成され、隣接する前記凸部間の間隔が前記凸部の高さよりも長い寸法に構成する。【選択図】  図２
2004181104.tif 000002
【特許請求の範囲】
【請求項１】
受液側に位置する液透過性の表面シートを有する表面構造体と、液不透過性の裏面シートと、前記表面構造体と前記裏面シートとの間に介在する吸収性コアと、からなる吸収性物品において、
前記表面シートによって長手方向に延びる凹部と凸部が幅方向に向けて交互に形成され、隣接する前記凸部間の間隔が前記凸部の高さよりも長い寸法であることを特徴とする吸収性物品。
【請求項２】
前記凸部間の間隔は、前記凸部の高さより５ｍｍ以上長い寸法であることを特徴とする請求項１に記載の吸収性物品。
【請求項３】
前記表面構造体は、前記表面シートと前記吸収性コアとが幅方向に所定間隔を設けて接合されることによって前記凹部が形成されているものであることを特徴とする請求項１または２に記載の吸収性物品。
【請求項４】
前記表面構造体は、前記表面シートと前記吸収性コアとの間に位置する液透過性の支持シートを有し、前記表面シートと前記支持シートとが幅方向に所定間隔を設けて接合されることによって前記凹部が形成されているものであることを特徴とする請求項１または２に記載の吸収性物品。
【請求項５】
前記凸部は、その断面形状がほぼ逆Ｖ字状であることを特徴とする請求項１から４いずれか記載の吸収性物品。
【請求項６】
前記凸部は、その断面形状がほぼＴ字状であることを特徴とする請求項１から４いずれか記載の吸収性物品。
【請求項７】
前記凸部は、幅方向中心線を対称軸として幅方向左右に複数個配置され、且つ、個々の凸部が同一方向に倒れて配置されているものであることを特徴とする請求項１から６いずれか記載の吸収性物品。
【請求項８】
横方向中心線を対称軸として幅方向左右に位置する前記凸部群は、幅方向中心線側を向くようにして、内側に倒れて配置されているものであることを特徴とする請求項１から７いずれか記載の吸収性物品。
【請求項９】
横方向中心線を対称軸として幅方向左右に位置する前記凸部群は、幅方向中心線側から前記吸収性物品の幅方向側縁に向いて、外側に倒れて配置されているものであることを特徴とする請求項１から７いずれか記載の吸収性物品。
【請求項１０】
幅方向の中央部に配置された前記凸部は、倒れた該凸部の頂点間の間隔が幅方向中心線を挟んで２５ｍｍ以上離して配置されたものであることを特徴とする請求項７から９いずれか記載の吸収性物品。
【請求項１１】
前記凸部間の間隔が、幅方向中心線側から幅方向側縁側に向うに従って広くなることを特徴とする請求項１から１０いずれか記載の吸収性物品。
【請求項１２】
前記凸部の高さは、排尿口の近傍に配置された凸部が最も高いものであることを特徴とする請求項１から１１いずれか記載の吸収性物品。
【請求項１３】
前記凸部の少なくとも頂点、もしくは、その近傍で長手方向に直線状に伸縮部材が配置されていることを特徴とする請求項１から１２いずれか記載の吸収性物品。
【請求項１４】
前記凸部の頂点と底部とに接合され、該凸部の頂点側を波形の山とし、低部側を波形の谷とする波形状に長手方向に伸縮部材が配置されていることを特徴とする請求項１から１２いずれか記載の吸収性物品。
【請求項１５】
前記伸縮部材は、着色されたものであることを特徴とする請求項１３または１４に記載の吸収性物品。
【発明の詳細な説明】
【０００１】
【発明の属する技術分野】
本発明は、使い捨ておむつ、尿失禁用パッド、生理用ナプキンなどの吸収性物品に係り、特に液の横漏れ防止に優れると共に身体へのフィット性に優れた表面構造体を有する吸収性物品に関する。
【０００２】
【従来の技術】
従来の使い捨ておむつ、尿失禁用パッド、生理用ナプキンなどの吸収性物品は一般的に、受液側に向けられる液透過性のトップシートと、外側に設けられる液不透過性のバックシートと、両シートの間に介在するパルプと高吸収性ポリマーなどから成る吸収性コアと、を有する。
【０００３】
これらの吸収性物品においては、股間部に接触したときに泌尿器やその周辺への密着性を良くして、尿や経血などの排泄液が横洩れしないようにするための構造が研究されている。例えば、吸収性コアの受液側に、親水性繊維層で構成される比較的嵩高のクッション層を設けたものや、吸収性コアの受液側にその吸収性コアよりも小さい吸収性材料層を重ね、この吸収性材料層の上に前記クッション層を重ねたものなどが実用化されている。しかし、股間部の形状の個人差に必ずしも確実に追従できず、股間部に確実に密着できない場合が多い。これに対し、本出願人は特許文献１に液透過性の表面シートを有する表面構造体と、裏面シートと、表面構造体と裏面シートとの間に吸収性コアを有する吸収性物品であって、横方向における少なくとも中央部では、表面シートによって長手方向に延びる凹部と凸部が横方向に交互に形成され、その凸部には、少なくとも頂点、もしくはその近傍で弾性伸縮機能が与えられて、表面構造体が湾曲形状とされている吸収性物品を提示している。この吸収性物品は、凸部が自由に形成できるため、表面構造体が着用者の身体の形状に合わせて隙間を埋めるように接触して密着しやすくなり、また、湾曲状になっていることで、排泄液が横方向に流れにくく、漏れを防止できるといった特徴を有している。
【０００４】
【特許文献１】
特開２０００−２７１１７０号公報
【０００５】
【発明が解決しようとする課題】
しかしながら、このような従来例にあっては、表面シートと吸収性コアが、あるいは、表面シートと支持シートが、横方向に間隔を開けて接合し、接合部で凹部を、接合部と接合部との間で凸部を形成しているとき、凸部高さと接合部の間隔（ピッチ）の関係についての規定がなく、また、接合部の固定方法は１本の接合線であって、少なくとも幅方向中央部において、凸部と凹部が交互に存在するという構造
（構成）となっていたため、吸収性物品が着用者の肌に接触し、隣接する凸部が横に倒れた場合、凸部の高さと接合部の間隔との寸法関係や凸部の倒れる方によって、凸部と凸部が重なり合ってしまう可能性が高い。このように凸部同士が重なり合うと凸部間に配されている凹部が覆われてしまうので、凹部の下に存在する吸収性コアへ排泄液が浸透せず、排泄液が凹部を覆った凸部のシート上を伝って横に流れてしまい、横漏れにつながる恐れがある。また、女性器や肛門などのデリケートな部位に突起物がくることによる違和感の発生といった課題があった。
【０００６】
本発明は、このような従来の技術に存在する問題点に着目してなされたものである。その目的とするところは、吸収性物品の受液側に形成されている凸部が同方向に横に倒れた場合でも、排泄液の浸透性が損なわれずに、排泄液の横漏れを防止できると共に、着用時の違和感のない吸収性物品を提供するものである。
【０００７】
【課題を解決するための手段】
以上のような課題を解決するために、本発明者は、着用者の肌に凸部が接触して横に倒れた場合でも、凸部と凸部が重なり合わないように、隣接する凸部間の間隔と凸部高さの関係等を規定し、更に、物品の中央部に突起物が存在しないように、凸部を配するという構造を
（構成）とすることにより、上記課題を解決できることを見出し、本発明を完成させた。
【０００８】
より具体的には、本発明においては以下のようなものを提供する。
【０００９】
（１）  受液側に位置する液透過性の表面シートを有する表面構造体と、液不透過性の裏面シートと、前記表面構造体と前記裏面シートとの間に介在する吸収性コアと、からなる吸収性物品において、前記表面シートによって長手方向に延びる凹部と凸部が幅方向に向けて交互に形成され、隣接する前記凸部間の間隔が前記凸部の高さよりも長い寸法であることを特徴とする吸収性物品を提供する。
【００１０】
本発明によれば、凹部の幅寸法が凸部高さよりも長いことになるので、凸部が完全に倒れても凹部を完全に覆い隠すことがなく、凹部の下に存在する吸収性コアに液を素早く吸収させることができる。凸部が倒れて折り重なると凹部は表面シートが３重となるため、表面シートが液透過性であっても、吸収性コアに液が吸収される速度が遅くなって吸収効率が低下することになる。また、凸部の重なりによって、排泄液が表面シート上を伝って横に流れてしまい、横漏れにつながる恐れがある。このように、凹部に凸部が重ならない部分が存在すると、この部分での液の吸収は低下しないだけでなく、隣接する幅方向側の凸部が堰となって排泄液が横に流れるのを阻止する。このため、横漏れを防止できることになる。
【００１１】
ここで、凸部間の間隔とは、隣接する凸部の頂点間の幅方向の寸法であり、それぞれの凸部の頂点から底面へ下ろした垂線間の寸法を意味し、凸部間に存在する凹部を含む。また、凸部高さとは、頂点と底面との最端の寸法、すなわち上記垂線における底面と頂点間の寸法を意味する。
【００１２】
（２）  前記凸部間の間隔は、前記凸部高さより５ｍｍ以上長い寸法であることを特徴とする（１）に記載の吸収性物品を提供する。
【００１３】
本発明によれば、凸部が完全に倒れても、凹部には５ｍｍ以上の幅の露出部分が残されているので、この露出部分で液の獲得が十分なされるため、吸収性コアに吸収される効率の低下が少なく、排泄液の横漏れを防止することができる。
【００１４】
（３）  前記表面構造体は、前記表面シートと前記吸収性コアとが幅方向に所定間隔を設けて接合されることによって前記凹部が形成されているものであることを特徴とする（１）または（２）に記載の吸収性物品を提供する。
【００１５】
本発明によれば、表面シートにおいて、長手方向に延びる凹部と凸部が、幅方向に交互に形成され、複数の凹部、および凸部が長手方向に平行に並ぶことになる。また、表面シートと吸収性コアは、接着剤で全面を全て埋めずに間欠な部分が存在するので、接着剤により液が表面シートを透過して吸収性コアに吸収されるのを阻害するという不都合は生じない。このため、液は速やかに吸収性コアに吸収される。
【００１６】
この接合の方法としては、ホットメルト接着剤（以下ＨＭＡと称する）や熱融着等で接着される。ＨＭＡの塗工は、スロットコーター多条塗工やスパイラル塗工等が挙げられる。接合部の幅が凸部高さより広い場合には、ＨＭＡの塗工としては、長手方向をすべて埋めずに間欠な部分が存在するスパイラル塗工が望ましい。また、接合部の幅が凸部の高さ以下の場合には、１つの凹部内の接合部は少なくとも２連以上に線状で接合することになるが、このときのＨＭＡの塗工は、多条塗工可能なスロットコーターもしくはビード塗工が望ましい。
【００１７】
（４）  前記表面構造体は、前記表面シートと前記吸収性コアとの間に位置する液透過性の支持シートを有し、前記表面シートと前記支持シートとが幅方向に所定間隔を設けて接合されることによって前記凹部が形成されているものであることを特徴とする（１）または（２）に記載の吸収性物品を提供する。
【００１８】
本発明によれば、表面シートは支持シートに接合されているので、吸収性コアに直接に接合した場合よりも、接合強度に優れることになる。また、接合も容易となる。すなわち、支持シートは一般的に不織布を用い、吸収性コアはパルプと高吸収性ポリマーの混合物またはその表面にティッシュにより覆われる構造であるので、体液により湿潤した際の強度に違いが生ずる。このため、湿潤時の強度が優れている支持シートの不織布に接合することが安定的である。また、ＨＭＡは湿潤によりその接着強度が落ちるので、濡れた状態で液を保持する吸収性コアに接着すると、同じく強度が安定せず、凸状形状を保ち難いことになる。
【００１９】
（５）  前記凸部は、その断面形状がほぼ逆Ｖ字状であることを特徴とする（１）から（４）いずれか記載の吸収性物品を提供する。
【００２０】
本発明によれば、製造時の難易度が低くて製造しやすいことになり、生産性を向上できる。
【００２１】
尚、この場合、幅方向中心線を挟んで幅方向左右の凸部群が、幅方向中心線を対称軸として、同一方向に倒されているのが好ましい。これによって、凸部の倒れる向きが制御されていることにより、隣接する凸部が向かい合うように倒れて重なるリスクを回避できる。
【００２２】
（６）  前記凸部は、その断面形状がほぼＴ字状であることを特徴とする（１）から（４）いずれか記載の吸収性物品を提供する。
【００２３】
本発明によれば、本発明によれば、凸部の頂点部分が平面状になっているので、線でなく平面で身体に接することになり、肌触りが優しく、違和感を生じさせない。
【００２４】
尚、この場合も、逆Ｖ字状断面の凸部と同様に、幅方向中心線を挟んで幅方向左右の凸部群が、幅方向中心線を対称軸として、同一方向に倒されているのが好ましい。これによって、凸部の倒れる向きが制御されていることにより、隣接する凸部が向かい合うように倒れて重なるリスクを回避できる。
【００２５】
（７）  前記凸部は、幅方向中心線を対称軸として幅方向左右に複数個配置され、且つ、個々の凸部が同一方向に倒れて配置されているものであることを特徴とする（１）から（６）いずれか記載の吸収性物品を提供する。
【００２６】
本発明によれば、着用する際に、凸部の倒れる向きが制御されていることにより、隣接する凸部が向かい合うように倒れて重なるリスクを回避できる。
【００２７】
（８）  幅方向中央線を対称軸として幅方向左右に位置する前記凸部群は、幅方向中心線側を向くようにして、内側に倒れて配置されているものであることを特徴とする（１）から（７）いずれか記載の吸収性物品を提供する。
【００２８】
本発明によれば、内側に倒れた凸部が排泄物の横流れに対しポケット構造を呈することになるので、経血や柔らかい水様な便といった粘度が比較的高い体液を獲得して漏れを防止するのに適している。
【００２９】
（９）  幅方向中心線を対称軸として幅方向左右に位置する前記凸部群は、幅方向中心線側から前記吸収性物品の幅方向側縁に向いて、外側に倒れて配置されているものであることを特徴とする（１）から（７）いずれか記載の吸収性物品を提供する。
【００３０】
本発明によれば、幅方向中央部に配置された凸部は、その頂点が幅方向中心線を挟んで幅方向側縁側に位置することになり、幅方向中央部は平面状となり、吸収性物品の中央部に当接する股間部の泌尿器やその周辺を刺激し難く、使用感に優れることになる。
【００３１】
また、吸収性物品の中央部に配置されている凸部は平面状となり、着用した際に女性器や肛門に刺激を与える凸部等の突起物の間隔が広くなるため、凸部頂点のピッチを広げなくても、中央部分の平面幅を長くとれるので、その分、凸部の本数を多く配置できることになる。このため、液の横漏れが一層防止される。
【００３２】
（１０）  幅方向の中央部に配置された前記凸部は、倒れた該凸部の頂点間の間隔が幅方向中心線を挟んで２５ｍｍ以上離して配置されたものであることを特徴とする（７）から（９）いずれか記載の吸収性物品を提供する。
【００３３】
本発明によれば、凸部等の突起物が幅方向中央部に存在するのを避けるように、幅方向中心から所定間隔離して左右に分かれて配置されていることになり、女性器や肛門を刺激し、着用者に違和感を与えることがない。具体的には、中央部付近の凸部（幅方向中心線を挟んで配置された中で最も中心線側に位置する凸部）間の頂点の幅方向間隔が、２５ｍｍ以上の間隔があること好ましい。より好ましくは２５ｍｍ〜５５ｍｍの範囲である。この間隔が狭すぎると幅方向中央部に位置する突起物が女性器や肛門を刺激し、着用者に違和感を与えることになる。また、必要以上に広すぎると、排尿口の近傍に凸部が位置しないことになり、液を獲得する面から不利となる。この考え方は、後述するような凸部の頂点に伸縮部材が配置されている場合に特に有効である。
【００３４】
（１１）  前記凸部間の間隔が、幅方向中心線側から幅方向側縁側に向うに従って広くなることを特徴とする（１）から（１０）いずれか記載の吸収性物品を提供する。
【００３５】
本発明によれば、側縁側にいくほど、液を獲得できる面積が増えることになり、液の横漏れをより一層防止することができる。
【００３６】
（１２）  前記凸部高さが、排尿口の近傍に配置された前記凸部が最も高い物であることを特徴とする（１）から（１１）いずれか記載の吸収性物品を提供する。
【００３７】
本発明によれば、排尿口に近い凸部を高くすることで、液獲得部の接触確率を高められることとなり、液の横漏れをより一層防止することができる。
【００３８】
（１３）  前記凸部の少なくとも頂点、もしくは、その近傍で長手方向に直線状に伸縮部材が伸長した状態で配置されていることを特徴とする（１）から（１２）いずれか記載の吸収性物品を提供する。
【００３９】
本発明によれば、伸縮部材が収縮して凸部が身体に向けて起立するため、液獲得性能を高めることができる。また吸収性物品自体が長手方向に湾曲するので、身体へのフィット性も向上することになる。
【００４０】
（１４）  前記凸部の頂点と底部とに接合され、該凸部の頂点側を波形の山とし、低部側を波形の谷とする波形状に長手方向に伸縮部材が配置されていることを特徴とする（１）から（１２）いずれか記載の吸収性物品を提供する。
【００４１】
本発明によれば、伸縮部材を波形等の曲線状に配置しているので、伸縮部材が液を獲得する性能をより一層高めることができる。また、頂点もしくは、その近傍に配置した場合と同様に、吸収性物品自体が長手方向に湾曲するので、身体へのフィット性も向上することになる。
【００４２】
（１５）  前記伸縮部材が、着色されたものであることを特徴とする（１３）または（１４）に記載の吸収性物品を提供する。
【００４３】
伸縮部材を着色して色づけることによって、目視による認識性が高まるので、製造中の異常の検出がし易くなり、品質の安定化を図ることができる。また、着用者にとっても、特に視力が低下してきている高齢者でも、凸部の存在が容易に確認できることになる。尚、好ましい色としては、青、緑等が挙げられる。
【００４４】
【発明を実施するための形態】
以下本発明の実施形態について、図を参照しつつ説明するが、本発明はこれに限定されるものでない。
【００４５】
図１は本発明の第１の実施の形態の吸収性物品を一部断面を含んで示す斜視図であり、図２は図１に示す本発明の吸収性物品の断面図、図３は本発明の吸収性物品の湾曲している状態を示す説明図である。以下においては、Ｘ方向が吸収性物品の幅方向（幅方向）、Ｙ方向が吸収性物品の長手方向（縦方向）である。
【００４６】
吸収性物品１は、図１及び図２に示すように、吸収性コア５の裏面側に裏面シート（バックシート）４が、また、受液側である表面側に表面構造体２が重ねられている。表面構造体２は、表面シート３と支持シート６とを有し、吸収性コア５が存在しない周辺領域Ａで、表面シート３と支持シート６および裏面シート４とがホットメルトなどの接着剤で接着されている。また、表面シート３と支持シート６および裏面シート４とが熱溶着性繊維を含む場合には、前記周辺領域Ａで各シートが熱溶着されていてもよい。あるいは周辺領域Ａで、支持シート６と裏面シート４とが接合され、表面シート３の端部が、周辺領域Ａの内側で支持シート６に接合されていてもよい。
【００４７】
表面シート３により形成される凸部７の高さＨは、隣接する凸部間の間隔Ｐよりも長くなっている。ここで、凸部間の間隔Ｐは、凸部７の頂点７ｔから支持シート６へ下ろした垂線Ｖ１と、隣接する凸部７の頂点７ｔから平面シート６へ下ろした垂線Ｖ２との間隔であって、間に存在する凹部８を含む。これにより、凸部７が完全に倒れても凹部８を完全に覆い隠すことがなく、凹部８の下に存在する吸収性コア５に液を速やかに吸収させることができる。尚、凸部間の間隔Ｐは凸部の高さＨよりも５ｍｍ以上長くなっている。これによって、凸部７が倒れて凹部８に重なったとしても、凹部８の一部を含む表面シート一重部の露出する幅が５ｍｍ以上となるので、液を獲得するには十分である。
【００４８】
また、凸部の高さＨは５〜５０ｍｍであることが望ましい。この高さが低すぎると、凸部７が身体にあたりにくいので、液を獲得するための性能を発揮できない。また、高すぎると身体に多くあたりすぎて、使用者に違和感を生じさせることになる。
【００４９】
凸部７は、幅方向（Ｘ方向）に所定間隔で複数個設けられている。幅方向中央部に存在する凸部７ａ，７ａ（幅方向中心線Ｌ−Ｌ’を挟んで相対する凸部）はその凸部間の間隔Ｐａがほぼ３０ｍｍで配置されている。これによって、幅方向中央部に位置する凸部７ａ，７ａによる突起物が股間部の泌尿器やその周辺に当たらないので、女性器や肛門を刺激することがなく、着用者に違和感を与えることが避けられることになる。尚、この間隔Ｐａは、２５ｍｍ以上、好ましくは２５ｍｍ〜５５ｍｍであるのが好ましい。２５ｍｍより狭いと凸部７ａ，７ａによる突起物が泌尿器やその周辺に当たることになるので、女性器や肛門を刺激することになり、着用者に違和感を与える。また、必要以上に広すぎると、排尿口に近い位置に凸部７ａ，７ａを配置することができず、液の獲得の面で不利となる。尚、このことは、後述するような凸部７の頂点に伸縮部材９が配置されている場合に特に有効である。
【００５０】
吸収性コア５は、粉砕パルプあるいは粉砕パルプ、高吸収性ポリマー、天然コットン等を単独または混合したものがティッシュなどの吸収性シートで包まれて構成されている。裏面シート４は液不透過性であり、例えばオレフィン系の樹脂シートなどで形成されている。また、吸収性物品１が使い捨ておむつや生理用ナプキンとして使用される場合、裏面シート４が通気性であることが好ましい。ただし、過量の排泄液を吸収性物品１のさらに外側に装着される外部装着体へと透過させて吸収させるために、本発明の吸収性物品１の裏面シート４を液透過性としたものでもよい。
【００５１】
表面構造体２を構成する表面シート３および支持シート６は、例えば疎水性繊維に親水処理したものまたは親水性繊維で形成されたメルトブローン、スパンボンド、ポイントボンド、エアースルー、あるいは湿式スパンレースなどの不織布である。
【００５２】
表面シート３は、幅方向へ所定間隔を開けて支持シート６に接合されている。この接合部を符号１０で示す。この接合部１０を形成することにより、表面シート３に長手方向（Ｙ方向）に延びる凸部（着用者側へと立ち上がる膨らみ）７と凹部８とが幅方向（Ｘ方向）に交互に形成されている。複数の凸部７および凹部８は、長手方向（Ｙ方向）へ延び、互いに平行となるように複数の列を成している。凸部７および凹部８を形成する表面シート３と支持シート６との接合は、ＨＭＡなどの接着剤による接着である。あるいは、表面シート３と支持シート６とが熱溶着性繊維を含む場合、表面シート３と支持シート６とが熱融着により接合されてもよい。
【００５３】
尚、前記接合部１０は長手方向へ連続線となるように形成されている。この接合部１０を連続線とするには、ＨＭＡの塗工を、多条塗工可能なスロットコーターもしくはビード塗工し、その上に表面シート３を接合することにより形成される。尚、この接合部１０は、連続線に限定されるものでなく、接合部１０の幅を凸部の高さよりも広い場合には、ＨＭＡの塗工を間欠な部分が存在するスパイラル塗工として、凹部８の幅寸法全体に亘って塗工し、その上に表面シート３を接合してもよい。この場合は、接合部１０が長手方向に間欠的に形成される。このように、接合部１０が間欠的に形成されることにより、排泄物の液体が、凹部８から吸収性コア５へ素早く吸収されることになる。
【００５４】
凸部７の頂点７ｔには、図４（ａ）に示すように、長手方向に沿って伸縮部材９が配置されている。伸縮部材９は表面シート３の内側、すなわち表面シート３の吸収性コア５側の面に接着されている。このとき、伸縮部材９は引き伸ばした状態で頂点７ｔにおいて長手方向に沿って接着され、接着後は図３に示すように、その伸縮部材９の弾性収縮機能により、表面シート３が頂点７ｔにおいて長手方向（Ｙ方向）へ収縮させられる。その結果吸収性物品１も長手方向に沿って湾曲する。
【００５５】
伸縮部材９は、弾性を有するものであればどのようなものでもよく、例えば天然ゴム、合成ゴム、伸縮性不織布、伸縮性フィルムなどを使用できる。なお、表面シート３全体を伸縮性不織布などで形成して、表面シート３の全体に長手方向への弾性収縮機能を与えてもよい。この場合、表面シート３に伸縮部材９を取付ける必要が無くなり、構造が簡単になるので製造が容易になる。
【００５６】
また、伸縮部材９は、図４（ｂ）に示すように、凸部７の頂点７ｔと凸部７の底面の支持シート６とに交互に部分的に接合（波形の山部で凸部７の頂点７ｔに、また、波形の谷部で支持シート６面に接合）される形で波形を形成しながら長手方向（Ｙ方向）に配置してもよい。これによって、伸縮部材９が収縮して凸部７が身体に向けて起立すると共に、凸部７の頂点７ｔが波打った状態になる。また、頂点７ｔ、もしくはその近傍に配置した場合と同様に、吸収性物品１自体も湾曲する。
【００５７】
また、この伸縮部材９を例えば青、緑といった色に着色しておいてもよい。こうすることにより、目視による認識性が高まるので、製造中の異常の検出がし易くなり、品質の安定化が図れる。また、着用者にとっても、特に視力が低下してきている高齢者でも、凸部の存在が容易に確認できることになる。
【００５８】
図５は本発明の第２の実施の形態の吸収性物品１Ｂを示す断面図である。この吸収性物品１Ｂでは、凸部７の断面形状が相違している。図５に示す例では、凸部７の頂部が平面状になった断面形状がＴ字形状を呈した凸部７となっている。こうすることで、凸部の頂部が身体に平面で接することになり、身体へのあたりが優しく、着用時の違和感がおさえられる。
【００５９】
尚、隣接する凸部７間の凸部間間隔Ｐと凸部７の高さＨとの関係は、第１の実施形態で説明したように、凸部７が完全に倒れても凹部８を完全に覆い隠すことがないように、凸部間の間隔Ｐが凸部の高さＨよりも５ｍｍ以上長くなっている。尚、凸部７がＴ字形状を呈している関係で、頂部の平面の広さＷが、凸部７の高さＨより大きい場合には、凸部間の間隔Ｐは、凸部７の頂点の平面の広さＷよりも５ｍｍ以上長くなるように配置するのが好ましい。尚、この場合において、凸部間の間隔Ｐは隣接する凸部８の脚部分の幅方向中心部の垂線間の寸法である。
【００６０】
図６は本発明の第３の実施の形態の吸収性物品１Ｃを示す断面図である。この吸収性物品１Ｃでは、幅方向中心線Ｌ−Ｌ’を挟んで幅方向の左右配置された凸部７群が中心線Ｌ−Ｌ’側に倒れて配置されている。尚、中心線ＬーＬ’を挟んで相対して配置されている凸部７ａ，７ａとは、頂点７ｔ間の寸法Ｐｂが２５ｍｍ以上となっている。これによって、第１の実施形態と同様に、幅方向中央部に位置する凸部７ａ，７ａによる突起物が股間部の泌尿器やその周辺に当たらないので、女性器や肛門を刺激することがなく、着用者に違和感を与えることが避けられる。尚、この間隔Ｐｂは、第１に実施形態と同様に２５ｍｍ〜５５ｍｍであるのが好ましい。
【００６１】
また、倒れて配置された凸部７によって凹部８が覆われていない部分（凹部８の一部を含む表面シート一重部の露出する部分）の幅方向の寸法Ｐｃ（凸部７の頂点７ｔと、隣接する凸部７との遠い側の底部付け根部との寸法）が５ｍｍ以上となっている。これによって、凹部８で液を十分に獲得することができる。
【００６２】
また、このように、幅方向の左右に位置する凸部７群が中心線Ｌ−Ｌ’側に倒れて配置されていることにより、内側に倒れた凸部が排泄物の横流れに対しポケット構造を呈することになるので、経血や柔らかい水様な便といった粘度が比較的高い体液を獲得して漏れを防止するのに好適である。
【００６３】
図７は本発明の第４の実施の形態の吸収性物品１Ｄを示す断面図である。この吸収性物品１Ｄでは、幅方向中心線Ｌ−Ｌ’を挟んで幅方向の左右配置された凸部７群が中心線Ｌ−Ｌ’側から幅方向の側縁側に倒れて配置されている。中心線Ｌ−Ｌ’を挟んで相対して配置されている凸部７ａ，７ａとは、頂点７ｔ間の寸法Ｐｂが２５ｍｍ以上となっている。これによって、第１の実施形態と同様に、幅方向中央部に位置する凸部７ａによる突起物が泌尿器やその周辺に当たらないので、女性器や肛門を刺激することがなく、着用者に違和感を与えることが避けられることになる。尚、この間隔Ｐｂは、第１の実施形態と同様に２５ｍｍ〜５５ｍｍであるのが好ましい。
【００６４】
また、倒れて配置された凸部７によって凹部８が覆われない部分（凹部８の一部を含む表面シート一重部の露出する部分）の幅方向の寸法Ｐｃ（凸部７の頂点７ｔと隣接する凸部７との遠い側の底部付け根部との距離）が５ｍｍ以上となっている。これによって、凹部８で液を十分に獲得することができる。
【００６５】
また、このように、幅方向の左右に位置する凸部７群が中心線Ｌ−Ｌ’側から幅方向の側縁側に倒れて配置されていることにより、吸収性物品１Ｄの中央部に配置されている凸部７ａ，７ａの頂点７ｔ間の寸法７ｂが長くなるので、着用した際に女性器や肛門に刺激を与える凸部等の突起物の間隔が広くなるため、その分、凸部７の本数を多く配置できることになる。このため、液の横漏れが一層防止されるので、好適である。
【００６６】
図８は本発明の第５の実施の形態の吸収性物品１Ｅを示す断面図である。この吸収性物品１Ｅでは、隣接する凸部７の凸部間間隔Ｐ（Ｐ１，Ｐ２，Ｐ３）が幅方向中心線側から幅方向側縁側になるに従って広くなるように配置されている。すなわち、図８に示す凸部間の間隔はＰ１＜Ｐ２＜Ｐ３となっている。このように配置することで、側縁側にいくほど、凹部８の露出する幅が広くなるために、液を獲得できる面積が増えることになり、液の横漏れをより一層防止することができる。
【００６７】
図９は本発明の第６の実施の形態の吸収性物品１Ｆを示す断面図である。この吸収性物品１Ｆでは、排尿口に近い凸部７ａ，７ａ（幅方向の中央付近における凸部７ａ）の高さを最も高くして、その両側に位置する凸部７が幅方向側縁側に向かって徐々に高さが低くなっている。このようにすると、排尿口付近での液の獲得が高められて、幅方向（Ｘ方向）に流れる液の量が減少する。また、凸部７の高さの違いにより、股間部や泌尿器へのフィット性がさらに向上する。この場合、例えば排尿口に近い凸部７ａ，７ａの高さが約１５ｍｍ、その両側に位置する凸部７の高さが約１０ｍｍ程度以下であることが好ましい。また、この実施の形態を変形し、中央部に位置する凸部のみ高さを高くして、その両側に位置する凸部は同じ高さになるようにしてもよい。尚、凸部の高さはこれに限定されるものでなく、上記の効果が得られるように適宜設定すればよい。
【００６８】
また、凸部７の高さと隣接する凸部間の間隔において、このように凸部の高さが異なる場合は、それぞれの凸部７が倒れて凹部８を覆った際に凹部の一部を含む表面シート一重部が少なくとも５ｍｍ以上露出するように配置するのが好ましい。
【００６９】
図１０は本発明の吸収性物品の具体例として、失禁患者や老人用の尿取りパッド示す斜視図、図１１は図１０の幅方向（Ｘ方向）の断面図、図１２は図１０の長手方向（Ｙ方向）の断面図である。図１０に示す尿取りパッドは、使い捨ておむつや下着などの外装体の内側に重ねられて使用される。
【００７０】
この尿取りパッド１１は、図１０、図１１に示すように、裏面シート４と表面構造体２と、それらに挟まれる吸収性コア５とで構成されている。吸収性コア５は、粉砕パルプと高吸収性ポリマー（ＳＡＰ）との混合物がティッシュ５ａで包まれて形成されている。
【００７１】
表面構造体２の表面シート３で形成された複数の凸部７は、図１０、図１２に示すように、長手方向に沿って、幅方向中央部側（中心線側）から幅方向側縁側に向かって倒れる形で尿取りパッド１１のほぼ全長に亘って延び、その両端部がカバーシート１２、１２で覆われている。そして、カバーシート１２と、支持シート６と裏面シート４とが、吸収性コア５が存在しない周辺領域Ａで互いに接合されている。尚、カバーシート１２は尿取りパッド１１の長手中間部の方向に開口部が向いたポケットを形成している。
【００７２】
この尿取りパッド１１は、凸部７に設けられた伸縮部材９によって図１２に示すように長手方向（Ｙ方向）の全体が湾曲し、装着者の股部に沿うようになっている。また、凸部７の表面には伸縮部材９の収縮による多数の皺が形成されている。
【００７３】
また凸部７の横方向における両側部に、横漏れ防止用の立体ギャザー１３、１３が形成されている。立体ギャザー１３，１３を設けることで、排泄液の横漏れをさらに防止することができる。この立体ギャザー１３，１３は、不透液性の帯状シートで形成されており、この帯状シートの側縁に伸縮部材１４，１４が設けられており、その反対側の側縁が支持シート６の上面に接合されている。このようにして、尿取りパッド１１には着用者方向へ立ち上がるような立体ギャザー１３、１３が形成される。なお、立体ギャザー１３，１３の長手方向における両端部は、凸部７の端部と同様にカバーシート１２、１２によって表面に現れていない。
【００７４】
なお、本発明の吸収性物品は使い捨ておむつや尿失禁パッドだけではなく、生理用ナプキンなども構成することができる。その場合、吸収性物品の全体形状は用途に応じて種々変更するこができ、例えば平面形状が長方形であってもよい。また、凸部８の配置も用途に応じて種々変更してもよい。
【００７５】
以上のように本発明に係る吸収性物品に関して、例を示す図面を参照しつつ具体的に説明したが、本発明はもとより図示例に限定される訳ではなく、前述の趣旨に適合し得る範囲で適当に変更を加えて実施することも可能であり、それらはいずれも本発明の技術的範囲に包含される。
【００７６】
【発明の効果】
以上に説明したように、本発明によれば、起立した凸部が着用者の肌に密着して液を獲得し、漏れを低減させる効果に加えて、隣接する凸部間の凸部間隔が凸部高さよりも長い寸法であるので、使用中に凸部が倒れてしまっても、凹部の一部が、着用者の肌当接面に露出した状態を保持しているため、そこで液を獲得することができるので、液が速やかに吸収され、横方向（幅方向）の漏れを防止することができる。
【００７７】
一方、着用者の股間部の泌尿器やその周辺が接する中央部には、所定間隔離して凸部を配置しているので、凸部による突起物が存在しないから、使用中に女性器や肛門といったデリケートな部位に対して不用意な刺激を与えることもない。
【００７８】
従って、特に液の横方向の流れに対する吸収性に優れ、しかも使用中の違和感の少ない吸収性物品を提供することができる。
【図面の簡単な説明】
【図１】図１は本発明の第１の実施の形態の吸収性物品を一部断面を含んで示す斜視図である。
【図２】図１に示す吸収性物品の断面図である。
【図３】本発明の吸収性物品の湾曲している状態を示す説明図である。
【図４】伸縮部材の配置を説明する説明図である。
【図５】本発明の第２の実施形態の吸収性物品を示す断面図である。
【図６】本発明の第３の実施形態の吸収性物品を示す断面図である。
【図７】本発明の第４の実施形態の吸収性物品を示す断面図である。
【図８】本発明の第５の実施形態の吸収性物品を示す断面図である。
【図９】本発明の第６の実施形態の吸収性物品を示す断面図である。
【図１０】本発明の吸収性物品で構成した使い捨ておむつを示す斜視図である。
【図１１】図１０の使い捨ておむつの幅方向の断面図である。
【図１２】図１０の使い捨ておむつの長手方向の断面図である。
【符号の説明】
１，１Ｂ，１Ｃ，１Ｅ，１Ｄ，１Ｆ  吸収性物品
２  表面構造体
３  表面シート
４  裏面シート
５  吸収性コア
６  支持シート
７  凸部
８  凹部
９  伸縮部材
１０  接合部
１１  尿取りパッド
１２  カバーシート
１３  立体ギャザー
１４  伸縮部材
【図１】
2004181104.tif 000003
【図２】
2004181104.tif 000004
【図３】
2004181104.tif 000005
【図４】
2004181104.tif 000006
【図５】
2004181104.tif 000007
【図６】
2004181104.tif 000008
【図７】
2004181104.tif 000009
【図８】
2004181104.tif 000010
【図９】
2004181104.tif 000011
【図１０】
2004181104.tif 000012
【図１１】
2004181104.tif 000013
【図１２】
2004181104.tif 000014